【事件の表示】
　特願２０１１−２１３４９３「遊技機」拒絶査定不服審判事件〔平成２５年　４月２２日出願公開、特開２０１３−　７０８８８〕について、次のとおり審決する。
【結　論】
　本件審判の請求は、成り立たない。
【理　由】
１　手続の経緯 
　本願は、平成２３年９月２８日の出願であって、平成２６年１０月３０日付けで拒絶査定がなされ、それに対して、平成２７年２月１０日に拒絶査定不服審判の請求がなされると同時に明細書及び特許請求の範囲に係る手続補正がなされたものである。
　一方、当審において、平成２８年２月２４日付けで拒絶理由を通知し、応答期間内である平成２８年４月２８日に意見書及び手続補正書が提出されたところである。 
２　本願発明
　この出願の請求項１に係る発明（以下「本願発明」という。）は、平成２８年４月２８日付け手続補正書により補正された特許請求の範囲の請求項１に記載されたとおりのものと認める。　
「【請求項１】
　所定の基準位置を基準として回転可能な可動役物と、
　前記可動役物を駆動させるモータと、
　前記可動役物を用いた演出として、前記可動役物が回転する演出動作をおこなわせるように前記モータを回転させる演出駆動制御をおこなう演出駆動制御手段と、
　前記基準位置に位置する前記可動役物を検出する検出手段と、
　前記可動役物を用いた演出の実行条件とは異なる所定条件が成立した場合であって前記検出手段によって前記基準位置に位置する前記可動役物が検出されていない場合に、前記可動役物を前記基準位置に復帰させる復帰動作をおこなわせるように前記モータを回転させる復帰駆動制御をおこなうことが可能な復帰駆動制御手段と、
　を備えて、
　前記演出駆動制御手段は、
　前記可動役物が所定方向に回転する前記演出動作をおこなわせるように前記演出駆動制御をおこない、当該演出駆動制御につづけて、前記可動役物が前記所定方向と同方向に回転するよう所定量を上限に前記モータを回転させる終了駆動制御をおこなう第１制御手段と、
　前記終了駆動制御において前記所定量まで前記モータが回転される前に前記検出手段によって前記基準位置に位置する前記可動役物が検出された場合に、前記モータの回転を停止させる停止制御をおこなう第２制御手段と、
　を有して、
　前記復帰駆動制御手段は、
　前記終了駆動制御において前記所定量まで前記モータが回転されても前記検出手段によって前記基準位置に位置する前記可動役物が検出されない場合に、前記所定条件が成立しなくても当該終了駆動制御につづけて、前記可動役物が前記所定方向と同方向に回転する前記復帰動作をおこなわせるように前記モータを回転させる前記復帰駆動制御をおこなうことが可能であることを特徴とする遊技機。」
３　当審の平成２８年２月２４日付け拒絶理由の概要
　当審の平成２８年２月２４日付け拒絶理由の概要は、次のとおりである。
　本願の請求項１に係る発明は、その出願前日本国内または外国において頒布された特開２００６−２７１４１７号公報（以下「刊行物１」という。）及び特開２００７−９８０２７号公報（以下「刊行物２」という。）に記載された発明に基づいて、その出願前にその発明の属する技術の分野における通常の知識を有する者が容易に発明をすることができたものであるから、特許法第２９条第２項の規定により特許を受けることができない。 
　この出願は、特許請求の範囲の請求項１の記載が、特許法第３６条第６項第２号に規定する要件を満たしていない。 
 
４　刊行物 
（１）当審において通知した拒絶の理由に引用された刊行物１（特開２００６−２７１４１７号公報）には、次の事項が図面とともに記載されている。
　
（１−ａ）「【０００１】
　本発明は、複数のＬＥＤを列状に配設した回転役物を、ステッピングモータにより回転させる遊技機に関するものである。
　・・・
【０００４】
　本発明は、制御信号を受信する割り込みにおけるこのような問題に鑑みてなされたものであり、その目的とするところは、正確なステップパルス幅を生成してステッピングモータを台形制御により駆動するとともに、残像効果による画像を表示することができる遊技機を提供することにある。」
（１−ｂ）「【００３６】
　上述した案内レール１１の内側には、遊技領域１２が区画形成され、遊技領域１２の中央部分には、センターユニット４０が配設されている。なお、センターユニット４０の正面左上部、及び、左右下端部には、遊技球が通過可能な通路が形成されると共に遊技球が通過したことに基づいて揺動する揺動通路部材４３（球通過部）が設けられている。また、センターユニット４０の正面右上部には、遊技盤４の前面に対して略水平（略平行）に回転駆動制御される回転役物６１が設けられている。本実施形態では、
回転役物６１は作動時においては常に時計回りに回転駆動される
（１−ｃ）「【０３２３】
　次に、回転役物６１の回転制御について説明する。図５０（ａ）はモータの回転開始から回転停止までのモータ速度調整を表す図であり、図５０（ｂ）は定速度の回転におけるモータ６３への励磁信号を表す励磁シーケンスである。
［１５−１．回転役物の回転位置］
【０３２４】
　回転ユニット６０は、図１６に示したように、
回転役物６１
モータ６３
回転役物６１
モータ６３の回転にともない、一体となって回転する
【０３２５】
　ここで、上述したように、信号受信部６２ｒには図示しない基準板が設けられており、回転役物本体６２には、この基準板を検出する図示しない透過型フォトインターラプタが内蔵されている。この透過型フォトインターラプタの検出領域である凹部では、上述したように、モータ６３の回転により、基準板が入り込み、そして出て行くという動きが繰り返し行われる。このとき、
透過型フォトインターラプタ
基準板が凹部に入り込んできたことを検出すると、回転役物６１の回転位置が物理的原位置にあるとみなされる。
「物理的原点位置」とは、回転役物６１の回転位置を指定位置（原位置）で停止させる基準となる位置である
【０３２６】
　なお、検出領域の凹部に、基準板が入り込んできたか否かの判定は、図４０に示した役物制御側タイマ割り込み処理におけるステップＳ１２０のセンサ履歴作成処理に基づいて行われる。この履歴作成処理は、モータ６３が高速回転から減速して徐行回転しているときに作成される。具体的には、回転役物６１による回転演出が完了し、回転役物６１を停止させるとき、つまりモータ６３を停止させるとき、モータ６３を高速回転から減速して、徐行回転させる。このとき、透過型フォトインターラプタが、割り込みタイミングごとにサンプリングした結果を、８ビットのシフトレジスタに順次格納し、その履歴が「００００００１１Ｂ（「Ｂ」は、ビット情報を表す。）」（透過型フォトインターラプタの遮蔽時にビットが値１）になったとき、役物ＣＰＵ１１６は、回転役物６１の回転位置が物理的原点位置に達したことを認識する。
［１５−２．モータ制御処理］
【０３２７】
　モータ６３の駆動は、図４０に示した役物制御側タイマ割り込み処理におけるステップＳ１２８のモータ制御処理により行われる。このモータ制御処理は、図４１に示した役物側タイマ割り込み設定処理で設定された可変時間の割り込みタイマが発生するごとに行われる。
【０３２８】
　
役物制御基板１１５の役物ＣＰＵ１１６
サブ統合基板１１１から
回転演出を開始するコマンド（回転演出開始コマンド）を受け取ったとき
【０３２９】
　モータ制御処理が開始されると、
役物ＣＰＵ１１６は
モータ６３の停止状態から加速して１ｓ以内に定速度の回転となる状態（加速状態）に制御し
この定速度の回転を所定時間維持した状態（定速度の回転状態）に制御し
その後減速して１ｓ以内に停止する状態（減速状態）に制御する
［１５−２−１．加速状態］
【０３３０】
　加速状態の領域Ａでは、図４２に示した加速タイマ割り込み設定処理で設定される割り込みタイマ（可変時間の割り込みタイマ）に従って、役物制御基板１１５の役物ＣＰＵ１１６は、ステップパルスとして、励磁信号ＭＯＴ０〜ＭＯＴ３を役物制御基板１１５のドライバ１１５ｄに出力し、モータ６３の回転制御を行う。具体的には、役物制御基板１１５の役物ＲＯＭ１１７に予め記憶された加速テーブル（図示しない）に従って、モータ６３の回転制御が行われる。
【０３３１】
　
役物ＣＰＵ１１６は、回転演出開始コマンドを受け取ると、停止状態から加速状態へモータ６３の回転制御を行う
【０３３２】
　このステップパルス幅が４．０ｍｓから３．９ｍｓ、３．８ｍｓ、・・・、そして０．５ｍｓと、短くなることにより、単位時間当たりのモータ６３に出力されるステップパルスが多くなる。つまりモータ６３に出力されるステップパルスの速度が速くなると、このステップパルスに応じて、モータ６３が加速され、高速回転する。ステップパルス幅が０．５ｍｓになると（同処理のステップＳ１５２）、モータ６３は
定速度の回転状態となる。
［１５−２−２．定速度の回転状態］
【０３３３】
　
定速度の回転状態の領域Ｂでは
回転役物６１に備えたＬＥＤ群６１ａにＲＧＢデータを出力し、ＬＥＤ群６１ａを発光させ、残像効果による演出を行う
［１５−２−３．減速状態］
【０３３４】
　減速状態の領域Ｃでは、図４３に示した減速タイマ割り込み設定処理で設定される割り込みタイマ（可変時間の割り込みタイマ）に従って、役物制御基板１１５の役物ＣＰＵ１１６は、ステップパルスとして、励磁信号ＭＯＴ０〜ＭＯＴ３を役物制御基板１１５のドライバ１１５ｄに出力し、モータ６３の回転制御を行う。具体的には、役物制御基板１１５の役物ＲＯＭ１１７に予め記憶された減速テーブル（図示しない）に従って、モータ６３の回転制御が行われる。
【０３３５】
　
役物ＣＰＵ１１６は、回転演出が終了し、回転演出停止コマンドを受け取ると、定速度の回転状態から停止状態へモータ６３の回転制御を行う。
モータ６３に出力されるステップパルス
ステップパルスに応じて、モータ６３が減速され、低速回転（徐行回転）する
回転役物６１の回転位置が物理的原点位置に達したことを認識すると、徐行回転から減速して、回転役物６１（モータ６３）を指定位置（原位置）に停止させる
（１−ｄ）「【０３５２】
　以上説明した本実施形態の
パチンコ１
回転役物６１をモータ６３により回転させ、この回転役物６１が回転しているとき、ＬＥＤ群６１ａを発光させて回転演出を行う。
【０３５３】
　主基板１０１は、遊技の進行に基づいて、サブ統合基板１１１に各種コマンドを出力する。この各種コマンドが入力されるサブ統合基板１１１は、各種コマンドに基づいて、各種遊技に関する制御を行う。役物制御基板１１５は、回転ユニット６０の制御を行う。」
　よって、以上の記載事項を総合すると、刊行物１には、次の発明が記載されていると認められる（以下、この発明を「刊行物１発明」という。）。 
「指定位置（原位置）に停止させる回転役物６１と、
　前記回転役物６１を回転させるモータ６３と、
前記回転役物６１が回転しているときＬＥＤ群６１ａを発行させて回転演出を行うようモータ６３の回転制御を行う役物制御基板１１５の役物ＣＰＵ１１６と、
　前記指定位置（原点位置）の基準となる物理的原点位置に位置する前記回転役物６１を検出する透過型フォトインターラプタと、
　を備えて、
　前記役物制御基板１１５の役物ＣＰＵ１１６は、
　回転演出開始コマンドを受け取るとモータ６３を停止状態から加速状態に制御し、その後定速度の回転状態に制御して、回転役物６１に備えたＬＥＤ群６１ａを発光させ、残像効果による演出を行い、回転演出が終了し、回転演出停止コマンドを受け取ると、モータ６３に出力されるステップパルスに応じて、減速され、徐行回転となり、
　回転役物６１の回転位置が物理的原点位置に達したことを認識すると、徐行回転から減速して、回転役物６１を指定位置（原点位置）に停止させ、
　回転役物６１は常に時計回りに回転駆動されるパチンコ１。」
（２）当審において通知した拒絶の理由に引用された刊行物２（特開２００７−９８０２７号公報）には、次の事項が図面とともに記載されている。
　
（２−ａ）「【技術分野】
【０００１】
　この発明は、遊技機の演出に伴い、複数の開閉部材を閉鎖状態と開放状態とに変化し得るようにした
遊技機のシャッター装置
（２−ｂ）「【００２５】
　前記右シャッター２４を開放および閉鎖作動する右シャッター作動手段２６は、前記本体枠１６における開口部１６ａより上部の裏側に前向きに配設された駆動モータ３９と、該モータ３９の回転軸に一体的に回転するよう配設されたピニオン４０とから構成され、該ピニオン４０が、前記後スライド部材３１の上面に形成されて左右方向に延在するラック３１ｂに噛合するよう構成される(図５参照)。すなわち、駆動モータ３９を正逆回転することで、ピニオン４０とラック３１ｂとの噛合作用下に、前記作動開閉部材２３が上下のレール部材１９,２１に沿って左右に移動するようになっている。なお、左右の駆動モータ３９,３９は、前記制御回路装置に接続され、前記図柄表示装置Ｋの図柄表示部１４で行なわれる演出(遊技機の演出)に連携するよう作動制御されて、図柄表示部１４の前側を左右のシャッター２４,２５で遮蔽したり開放するよう構成される。
　・・・
【００２７】
　前記本体枠１６には、前記制御回路装置に接続する原位置スイッチ４１が左右両側に夫々配設され、各原位置スイッチ４１は、対応するシャッター２４,２５の作動開閉部材２３における後スライド部材３１に設けた検出片３１ｃを検出するよう構成される。そして、前記左右の駆動モータ３９,３９が開放方向に回転することで移動する対応の作動
開閉部材２３の検出片３１ｃを原位置スイッチ４１が検出したときに、制御回路装置が左右の駆動モータ３９,３９を停止制御することで、左右のシャッター２４,２５は開放状態に保持されるようになっている
開放状態(原点位置)を基準として、前記制御回路装置から発信されるパルス数を調整することで、作動開閉部材２３,２３を左右方向の任意の位置で停止
閉鎖状態となるまでの数のパルス信号が発信されると、左右の駆動モータ３９,３９は、そのパルス信号に対応した回転量だけ回転した後に停止することで、左右のシャッター２４,２５は閉鎖状態に保持される
【００２８】
　ここで、閉鎖状態あるいは閉鎖状態と開放状態との途中に位置する作動開閉部材２３を、開放状態とするためのパルス信号が制御回路装置から発信されたにも拘わらず、前記
原位置スイッチ４１が検出片３１ｃを検出しない場合は、該原位置スイッチ４１が検出片３１ｃを検出するまで制御回路装置からパルス信号が発信され続けるよう設定
【００２９】
〔実施例の作用〕
　次に、前述した構成に係る実施例のシャッター装置の作用につき説明する。前記パチンコ機Ｐでは、前記始動入賞具１２のスイッチからの始動信号入力条件により、
制御回路装置から発生される制御出力に基いて、前記図柄表示装置Ｋの図柄の変動が開始され、所要の図柄組合わせゲームが展開される。そして、該ゲームの演出に応じて、前記シャッター装置１０が作動制御されて、図柄表示装置Ｋの図柄表示部１４が遮蔽されたり開放される
（２−ｃ）「【００３４】
　ここで、
左右のシャッター２４,２５の開放動作
パルス信号に対応する回転量だけ各駆動モータ３９が回転すると、各駆動モータ３９が停止制御される。
このとき、駆動モータ３９や開閉部材２２,２３が正常に作動していれば、前記各原位置スイッチ４１が検出片３１ｃを検出し、シャッター装置１０が開放状態となったことが確認される
各原位置スイッチ４１が検出片３１ｃを検出しなければ、該スイッチ４１が検出片３１ｃを検出するまで各駆動モータ３９は回転を継続し、原位置スイッチ４１が検出片３１ｃを検出した時点で各駆動モータ３９は停止制御される。
　よって、以上の記載事項を総合すると、刊行物２には、次の技術事項が記載されていると認められる（以下「刊行物２記載の技術事項」という。）。
「制御回路装置から発生される制御出力に基いて、図柄表示装置Ｋの図柄の変動が開始され、所要の図柄組合わせゲームが展開され、該ゲームの演出に応じて、図柄表示装置Ｋの図柄表示部１４を遮蔽又は開放するシャッター装置であり、
　作動開閉部材２３の検出片３１ｃを原位置スイッチ４１が検出したときに、制御回路装置が左右の駆動モータ３９を停止制御することで、左右のシャッター２４、２５は開放状態に保持されるようになっており、開放状態(原位置)を基準として、前記制御回路装置から発信されるパルス数を調整することで、左右のシャッター２４、２５の作動開閉部材２２、２３を左右方向の任意の位置で停止させる遊技機のシャッター装置において、
　パルス信号に対応する回転量だけ各駆動モータ３９が回転すると、開閉作動部材２２、２３が何れも開放位置に達するように各駆動モータ３９が停止制御され、正常に作動していれば、原位置スイッチ４１が作動開閉部材２３の検出片３１ｃを検出し、開閉作動部材２２、２３が開放状態となり、シャッター装置１０が開放状態となったことが確認されるが、原位置スイッチ４１が検出片３１ｃを検出しなければ、該スイッチ４１が検出片３１ｃを検出するまで各駆動モータ３９は回転を継続し、該スイッチ４１が検出片３１ｃを検出した時点で各駆動モータ３９は停止制御される遊技機のシャッター装置。」
５　対比 
　本願発明と刊行物１発明とを対比する。
ア　刊行物１発明において、回転役物６１を「指定位置（原位置）に停止させ」、指定位置（原位置）から回転を開始するものであるから、回転役物６１は指定位置（原位置）を基準として回転可能であるといえる。
　よって、刊行物１発明の「指定位置（原位置）に停止させる回転役物６１」は、本願発明の「所定の基準位置を基準として回転可能な可動役物」に相当する。
イ　刊行物１発明の「回転役物６１」は、本願発明の「可動役物」に相当するから、刊行物１発明の「回転役物６１を回転させるモータ６３」は、本願発明の「可動役物を駆動させるモータ」に相当する。
ウ　刊行物１発明の「回転制御」、「役物制御基板１１５の役物ＣＰＵ１１６」は、本願発明の「演出駆動制御」、「演出駆動制御手段」に、それぞれ、相当するから、刊行物１発明の「回転役物６１が回転しているときＬＥＤ群６１ａを発光させて回転演出を行うようモータ６３の回転制御を行う役物制御基板１１５の役物ＣＰＵ１１６」は、本願発明の「可動役物を用いた演出として、可動役物が回転する演出動作をおこなわせるようにモータを回転させる演出駆動制御をおこなう演出駆動制御手段」に相当する。
エ　刊行物１発明の「指定位置（原点位置）」は、本願発明の「基準位置」に相当するから、刊行物１発明の「指定位置（原点位置）の基準となる物理的原点位置に位置する前記回転役物６１を検出する透過型フォトインターラプタ」と、本願発明の「基準位置に位置する可動役物を検出する検出手段」とは「可動役物を検出する検出手段」である点で共通する。
オ　刊行物１発明の「役物制御基板１１５の役物ＣＰＵ１１６は、回転演出開始コマンドを受け取るとモータ６３を停止状態から加速状態に制御し、その後定速度の回転状態に制御して、回転役物６１に備えたＬＥＤ群６１ａを発光させ、残像効果による演出を行」う点は、本願発明の「演出駆動制御手段は、可動役物が所定方向に回転する演出動作をおこなわせるように演出駆動制御をおこな」う点に相当する。
　また、刊行物１発明の「回転演出が終了し、回転演出停止コマンドを受け取ると、モータ６３に出力されるステップパルスに応じて、減速され、徐行回転」し、「回転役物６１は常に時計回りに回転駆動される」点は、本願発明の「当該演出駆動制御につづけて、可動役物が所定方向と同方向に回転するようモータを回転させる終了駆動制御をおこなう第１制御手段」に相当する。
　そして、刊行物１発明は、回転役物６１の物理的原点位置を認識（検出）するものであるから、刊行物１発明の「回転役物６１の回転位置が物理的原点位置に達したことを認識すると、徐行回転から減速して、回転役物を指定位置（原位置）に停止させ」る点と、本願発明の「終了駆動制御において検出手段によって基準位置に位置する可動役物が検出された場合に、モータの回転を停止させる停止制御をおこなう第２制御手段」とは、「終了駆動制御において検出手段によって」「可動役物が検出された場合に、モータの回転を停止させる停止制御をおこなう第２制御手段」で共通する。
　よって、刊行物１発明の「前記役物制御基板１１５の役物ＣＰＵ１１６は、 回転演出開始コマンドを受け取るとモータ６３を停止状態から加速状態に制御し、その後定速度の回転状態に制御して、回転役物６１に備えたＬＥＤ群６１ａを発光させ、残像効果による演出を行い、回転演出が終了し、回転演出停止コマンドを受け取ると、モータ６３に出力されるステップパルスに応じて、減速され、徐行回転となり、回転役物６１の回転位置が物理的原点位置に達したことを認識すると、徐行回転から減速して、回転役物を指定位置（原位置）に停止させ、回転役物６１は常に時計回りに回転駆動される」点と、本願発明の「演出駆動制御手段は、可動役物が所定方向に回転する演出動作をおこなわせるように演出駆動制御をおこない、当該演出駆動制御につづけて、可動役物が所定方向と同方向に回転するよう所定量を上限に前記モータを回転させる終了駆動制御をおこなう第１制御手段と、終了駆動制御において所定量までモータが回転される前に検出手段によって基準位置に位置する可動役物が検出された場合に、モータの回転を停止させる停止制御をおこなう第２制御手段と、を有」する点とは、「演出駆動制御手段は、可動役物が所定方向に回転する演出動作をおこなわせるように演出駆動制御をおこない、当該演出駆動制御につづけて、可動役物が所定方向と同方向に回転するようモータを回転させる終了駆動制御をおこなう第１制御手段と、終了駆動制御において検出手段によって可動役物が検出された場合に、モータの回転を停止させる停止制御をおこなう第２制御手段と、を有」する点で共通する。
カ　刊行物１発明の「パチンコ１」は、本願発明の「遊技機」に相当する。
キ　したがって、本願発明と刊行物１発明とは、
「所定の基準位置を基準として回転可能な可動役物と、
　前記可動役物を駆動させるモータと、
　前記可動役物を用いた演出として、前記可動役物が回転する演出動作をおこなわせるように前記モータを回転させる演出駆動制御をおこなう演出駆動制御手段と、
　前記可動役物を検出する検出手段と、
　を備えて、
　前記演出駆動制御手段は、
　前記可動役物が所定方向に回転する前記演出動作をおこなわせるように前記演出駆動制御をおこない、当該演出駆動制御につづけて、前記可動役物が前記所定方向と同方向に回転するよう前記モータを回転させる終了駆動制御をおこなう第１制御手段と、
　前記終了駆動制御において前記検出手段によって前記可動役物が検出された場合に、前記モータの回転を停止させる停止制御をおこなう第２制御手段と、
　を有する遊技機。」
という点で一致し、以下の点で相違する。
　
［相違点１］
　検出手段に関して、本願発明は、基準位置に位置する可動役物を検出するのに対して、刊行物１発明は、指定位置（原点位置）の基準となる物理的原点位置に位置する前記回転役物６１を検出する点。
［相違点２］
　本願発明は、「所定量を上限に」モータを回転させる終了駆動制御を行う第１制御手段と、終了駆動制御において「所定量までモータが回転される前に」「前記基準位置に位置する」可動役物が検出された場合にモータの回転を停止させる第２制御手段と、を有するのに対し、刊行物１発明は、モータを回転させる「所定量」が特定されていないとともに、物理的原点位置に位置する可動役物を検出する役物ＣＰＵ１１６を有する点。
［相違点３］ 
　本願発明は、「可動役物を用いた演出の実行条件とは異なる所定条件が成立した場合であって検出手段によって基準位置に位置する可動役物が検出されていない場合に、可動役物を基準位置に復帰させる復帰動作をおこなわせるようにモータを回転させる復帰駆動制御をおこなうことが可能な復帰駆動制御手段」を備えるのに対し、刊行物１発明は、当該復帰駆制御手段を備えていない点。
［相違点４］
　本願発明は、「復帰駆動制御手段は、終了駆動制御において所定量までモータが回転されても検出手段によって基準位置に位置する可動役物が検出されない場合に、所定条件が成立しなくても当該終了駆動制御につづけて、可動役物が所定方向と同方向に回転する復帰動作をおこなわせるようにモータを回転させる前記復帰駆動制御をおこなうことが可能である」のに対し、刊行物１発明は、当該復帰駆動制御手段を備えていない点。
６　当審の判断 
ア　上記相違点１〜４について、以下のとおり検討する。
（ａ）相違点１に関連する事項について
　上記刊行物２記載の技術事項においては、「作動開閉部材２３の検出片３１ｃを原位置スイッチ４１が検出したときに、制御回路装置が左右の駆動モータ３９を停止制御」し、「開放状態(原位置)を基準として、前記制御回路装置から発信されるパルス数を調整することで、左右のシャッター２４、２５の作動開閉部材２２、２３を左右方向の任意の位置で停止させ」ているから、原位置スイッチ４１（検出手段）が「作動開閉部材２３の検出片３１ｃを検出」することは、上記相違点１に係る本願発明の「基準位置に位置する可動役物を検出する」ことに相当する。
（ｂ）相違点２に関連する事項について
　上記刊行物２記載の技術事項においては、「パルス信号に対応する回転量だけ各駆動モータ３９が回転すると、開閉作動部材２２、２３が何れも開放位置に達するように各駆動モータ３９が停止制御され」るから、上記相違点２に係る所定量だけモータを回転させる終了駆動制御をおこなう第１制御手段を備えており、「正常に作動していれば、原位置スイッチ４１が作動開閉部材２３の検出片３１ｃを検出し、開閉作動部材２２、２３が開放状態とな」るから、上記刊行物２記載の技術事項は、上記相違点２に関連する終了駆動制御において所定量だけモータが回転され、検出手段によって基準位置に位置する可動役物が検出された場合に、モータの回転を停止させる停止制御をおこなう第２制御手段を備えているといえる。
（ｃ）相違点３に関連する事項について
　一方、遊技機の技術分野において、可動役物を用いた演出を行う時や、電源投入時に、検出手段によって基準位置に位置する可動役物が検出されていない場合に、可動役物を基準位置に復帰させる復帰動作を行わせるようにモータの回転制御を行うことは、本願出願前において、周知の技術である（例えば、特開２００４−２５４９７４号公報の段落【０１７１】〜【０１７３】の特定楽曲の再生を開始する際や、電源を投入したときに、役物駆動モータの基準位置を検出して役物駆動モータを駆動させる復帰制御を行う点、特開２０１０−２５２９８７号公報の段落【００８２】〜【００８８】、【０１００】の可動演出処理や、電源投入後に開始するメイン処理において、原点センサＳＮｃの信号を判定して演出モータＭＯｃを逆回転させる原点復帰処理を行う点を参照のこと）。
　そして、上記周知の技術において、「可動役物を用いた演出を行う時」とは演出の実行条件が成立した時であり、「電源投入時」とは、この演出の実行条件の成立とは異なる所定条件が成立した時であるといえる。
　よって、上記周知の技術には、上記相違点４に係る本願発明の「可動役物を用いた演出の実行条件とは異なる所定条件が成立した場合であって検出手段によって基準位置に位置する可動役物が検出されていない場合に、可動役物を基準位置に復帰させる復帰動作をおこなわせるようにモータを回転させる復帰駆動制御をおこなう」点が開示されている。
（ｄ）相違点４に関連する事項について
　上記刊行物２記載の技術事項における「原位置スイッチ４１が検出片３１ｃを検出しなければ、該スイッチ４１が検出片３１ｃを検出するまで各駆動モータ３９は回転を継続し、該スイッチ４１が検出片３１ｃを検出した時点で各駆動モータ３９は停止制御される」点は、上記相違点３に係る本願発明の「終了駆動制御において所定量までモータが回転されても検出手段によって基準位置に位置する可動役物が検出されない場合に」、「終了駆動制御につづけて、可動役物が所定方向と同方向に回転する復帰動作をおこなわせるようにモータを回転させる復帰駆動制御」に相当する。
　また、上記刊行物２記載の技術事項において、シャッター装置が「図柄表示部１４を遮蔽又は開放する」のは、「制御回路装置から発生される制御出力に基いて、図柄表示装置Ｋの図柄の変動が開始され、所要の図柄を組合わせて展開されるゲームの演出に応じて」行われるものであるから、演出の実行条件の成立時に行われるものであり、上記相違点４に係る本願発明の（演出の実行条件とは異なる）「所定条件が成立しなくとも」行うことに相当する。
　以上のとおり、上記刊行物２記載の技術事項には、上記（ａ）、（ｂ）、（ｄ）に示すとおり、相違点１、２、４に関連する事項が開示されており、上記周知の技術は、（ｃ）に示すとおり、相違点３に関連する事項が開示されている。
（ｅ）刊行物１発明に刊行物２記載の技術事項及び周知の技術を適用することについて
　刊行物１発明と、刊行物２記載の技術事項とは、共に遊技機の可動役物に関するものである。また、刊行物１発明の演出停止コマンドを受け取ってから回転役物６１を指定位置（原点位置）に停止させる停止制御と、刊行物２記載の技術事項のパルス信号に対応する回転量だけ各駆動モータ３９を回転させてから、スイッチ４１が検出片３１ｃを検出するまで各駆動モータ３９を回転させる停止制御とは、共に演出停止制御である点で共通する。
　刊行物１発明に開示されたような回転役物において、モータの脱調やゴミの混入等により回転役物がずれた位置で停止することは周知の課題であるといえる（例えば、上記特開２０１１−６７４２９号公報の段落【０００４】、【００８４】、上記特開２００９−１６５５２７号公報の段落【０００３】、【００４５】を参照のこと。）。
　そうすると、刊行物１発明においてもモータの脱調等により指定位置の手前で回転役物６１が停止してしまう場合も想定され、これを防止することは、当業者にとって自明の課題といえる。
　一方、刊行物２記載の技術事項には、「該スイッチ４１が検出片３１ｃを検出するまで各駆動モータ３９は回転を継続し、該スイッチ４１が検出片３１ｃを検出した時点で各駆動モータ３９は停止制御される」点が開示されており、このことは、刊行物２記載の技術事項における「パルス信号に対応する回転量」（所定量）を余裕を持って設定すること、すなわち、「パルス信号に対応する回転量」として所定量を上限として設定し、所定量までモータが回転される前にモータの回転を停止させるように制御することを示唆している。
　よって、刊行物１発明に、刊行物２記載の技術事項を適用し、基準位置に位置する可動役物を検出するとともに、刊行物１発明の演出制御コマンドを受け取ってからの停止制御（終了駆動制御）に、刊行物２記載の技術事項の所定量だけ駆動モータを回転させる終了駆動制御及び所定量までモータが回転されても検出手段によって基準位置に位置する可動役物が検出されない場合に復帰駆動制御からなる停止制御を適用して、当該所定量を余裕をもって設定し、上記相違点１、２、４に係る本願発明の構成とすることは、当業者が容易になし得たことである。
　そして、刊行物１記載の発明に刊行物２記載の技術事項を適用するに際して、上記相違点３に係る構成である演出の実行条件の成立時に行われる復帰動作とは別に当該復帰動作とは異なるタイミングである所定条件の成立時に行われる周知の技術に係る復帰動作をさらに付加することは当業者が容易になし得たことである。
、
　イ　本願発明が奏する効果について
　上記相違点１〜４によって本願発明が奏する効果は、当業者が刊行物１発明、刊行物２記載の事項及び周知の技術から予測し得る程度のものであって、格別のものではない。
　
　請求人は、平成２８年４月２８日付け意見書において、「本願発明は、可動役物を用いた演出によって可動役物を動作させた場合（可動役物に演出動作および終了動作をおこなわせた場合）のほか、可動役物を用いた演出の実行条件とは異なる所定条件が成立した場合（例えば特別図柄の変動を開始した場合）にも、可動役物が基準位置（原点位置）に位置していなければ、可動役物に復帰動作をおこなわせ、可動役物を基準位置に復帰させることが可能な構成を備えています。
　このため、本願発明は、可動役物に復帰動作をおこなわせる機会を増加させることができ、可動役物が基準位置に位置すべきときにはきちんと基準位置に位置しているといった状態を多く作り出すことができます。」（第３頁第２９〜３６行）と主張する。
　しかしながら、上記アで検討したとおり、可動役物を用いた演出を行う時や、電源投入時に、検出手段によって基準位置に位置する可動役物が検出されていない場合に、可動役物を基準位置に復帰させる復帰動作を行わせるようにモータの回転制御を行うことは、周知の技術であり、当該周知の技術及び刊行物２記載の技術事項を刊行物１発明に適用して、演出の実行条件の成立時とは別のタイミングである所定条件の成立時にも復帰動作を実行させることは当業者が容易になし得たことである。
　よって、請求人の主張は採用できない。
７　むすび 
　以上のとおりであるから、本願発明は、刊行物１発明、刊行物２記載の技術事項及び周知の技術に基づいて当業者が容易に発明をすることができたものであり、特許法第２９条第２項の規定により特許を受けることができない。 
　したがって、本願は、拒絶されるべきものである。 
　よって、結論のとおり審決する。